(57)【要約】【課題】貫通孔の内部状態に依存することなく、アウトレットボックスが取り付けられた後でも防火措置の施工および検査を簡単に行うことができ、防火性に優れるアウトレットボックスの防火措置構造を提供すること。【解決手段】貫通孔を有する壁に対して、前記貫通孔を覆う様に設置されたアウトレットボックスの構造であって、前記アウトレットボックスが、背面板および前記背面板の外周に接合された側面板により囲まれた空間を有し、前記アウトレットボックスの開口部側を壁側に向けて壁に設置され、前記壁と前記アウトレットボックスとの間に隙間があり、電線ケーブル類が、前記アウトレットボックスの背面板および側面板の少なくとも一方に形成された挿通孔を挿通し、  曲げられた熱膨張性耐火シートが、前記壁の貫通孔の内部に挿入されていることを特徴とする、アウトレットボックスの防火措置構造。【選択図】図１１
2014090560.tif 000002
【特許請求の範囲】
【請求項１】
貫通孔を有する壁に対して、前記貫通孔を覆う様に設置されたアウトレットボックスの防火措置構造であって、
前記アウトレットボックスが、背面板および前記背面板の外周に接合された側面板により囲まれた空間を有し、前記アウトレットボックスの開口部側を壁側に向けて壁に設置され、
電線ケーブル類が、前記アウトレットボックスの背面板および側面板の少なくとも一方に形成された挿通孔を挿通し、
曲げられた熱膨張性耐火シートが、前記壁の貫通孔の内部に挿入されていることを特徴とする、アウトレットボックスの防火措置構造。
【請求項２】
前記曲げられた熱膨張性耐火シートが、下記（１）〜（３）からなる群より選ばれる少なくとも一つである、請求項１に記載のアウトレットボックスの防火措置構造。
（１）Ｕ字状に曲げられた熱膨張性耐火シート
（２）筒状に曲げられた熱膨張性耐火シート
（３）らせん状に曲げられた熱膨張性耐火シート
【請求項３】
前記アウトレットボックスが、アウトレットボックス本体と開口部を有する鍔板とを着脱自在に組み合わせてなり、
前記開口部を有する鍔板が、前記アウトレットボックス本体の開口部側に設置され、
支持枠体が、前記アウトレットボックスが設置された側とは反対側の壁の貫通孔外部に設置され、
連結部材が、前記壁の貫通孔を挿通し、前記開口部を有する鍔板と前記支持枠体とを着脱自在に連結している、請求項１または２に記載のアウトレットボックスの防火措置構造。
【請求項４】
前記開口部を有する鍔板が、連結部材受部を有し、
前記曲げられた熱膨張性耐火シートが、切り込みを有し、
前記開口部を有する鍔板の連結部材受部が、前記曲げられた熱膨張性耐火シートの切り込みに挿入されている、請求項１〜３のいずれかに記載のアウトレットボックスの防火措置構造。
【請求項５】
前記連結部材が、前記曲げられた熱膨張性耐火シートを支持している、請求項１〜４のいずれかに記載のアウトレットボックスの防火措置構造。
【請求項６】
前記電線ケーブル類が、端部に筒状固定具が設置された可撓電線管の内部を挿通し、
筒状固定受具が、前記アウトレットボックスの挿通孔に設置され、
前記可撓電線管の端部に設置された筒状固定具が、前記アウトレットボックスの挿通孔に設置された筒状固定受具にはめ合わされ、
配電盤が、前記支持枠体に設置され、
前記可撓電線管の内部を挿通する前記電線ケーブル類が、前記アウトレットボックス内部に導入されて、前記配電盤に接続され、
前記配電盤が、有線通信用コンセント、電源用コンセント、電源用スイッチ、電源用ブレーカー、通電表示灯および情報表示装置からなる群より選ばれる少なくとも一つを備え、
前記配電盤および前記支持枠体が、化粧板により前記壁の外部から覆われ、前記化粧板の開口部を通じて、前記配電盤の電源用コンセント、電源用スイッチおよび電源用ブレーカーを操作でき、前記配電盤の通電表示灯および情報表示装置を視認できる、請求項１〜５のいずれかに記載のアウトレットボックスの防火措置構造。
【請求項７】
背面板および前記背面板の外周に接合された側面板により囲まれた空間を有するアウトレットボックスを、前記アウトレットボックスの開口部側を壁側に向けて、壁に設置する工程（１）と、
前記アウトレットボックスの背面板および側面板の少なくとも一方に形成された挿通孔に、電線ケーブルを挿通させる工程（２）と、
前記壁の垂直方向を基準として、前記壁の貫通孔の一部または全部と、前記アウトレットボックスの開口部の一部または全部とが互いに重なる位置に、前記壁に貫通孔を設ける工程（３）と、
曲げられた熱膨張性耐火シートを、前記壁の貫通孔の内部に挿入する工程（４）と、
を少なくとも有する、請求項１〜６のいずれかに記載のアウトレットボックスの防火措置構造の施工方法。
【請求項８】
前記工程（４）が、下記（４−１）〜（４−３）からなる群より選ばれる少なくとも一つである、請求項７に記載のアウトレットボックスの防火措置構造の施工方法。
（４−１）Ｕ字状に曲げられた熱膨張性耐火シートを、前記壁の貫通孔の内部に設置する工程
（４−２）筒状に曲げられた熱膨張性耐火シートを、前記壁の貫通孔の内部に設置する工程
（４−３）らせん状に曲げられた熱膨張性耐火シートを、前記壁の貫通孔の内部に設置する工程
【請求項９】
支持枠体を、前記アウトレットボックスが設置された側とは反対側の壁の貫通孔外部に設置する工程（５）と、
アウトレットボックス本体と開口部を有する鍔板とを着脱自在に組み合わせてなるアウトレットボックスに設置された前記開口部を有する鍔板と、
前記支持枠体と、を、
前記壁の貫通孔を挿通させた連結部材により、着脱自在に連結する工程（６）と、
を有する、請求項７または８に記載のアウトレットボックスの防火措置構造の施工方法。
【請求項１０】
前記開口部を有する鍔板が、連結部材受部を有し、
前記曲げられた熱膨張性耐火シートが、切り込みを有し、
前記開口部を有する鍔板の連結部材受部を、前記曲げられた熱膨張性耐火シートの切り込みに挿入する工程（７）を有する、請求項９に記載のアウトレットボックスの防火措置構造の施工方法。
【発明の詳細な説明】
【技術分野】
【０００１】
本発明は、屋内配線に用いられるアウトレットボックスの防火措置構造およびその施工方法に関する。
【背景技術】
【０００２】
建物の中空壁等の壁の内部に取り付けられるコンセント、スイッチ等の多くはプラスチック製の部品を含むため、火災が発生するとこれらのコンセントやスイッチ等が溶融変形し、火災の炎が前記中空壁等の壁の内部に侵入することがある。
火災の炎が中空壁等の壁の内部に侵入すると、コンセントやスイッチ等に接続されている電線ケーブル等を伝わって延焼が生じる問題がある。
この問題に対応するため、室内に設けられたコンセントやスイッチ等の背面、すなわち中空壁等の壁の内部にアウトレットボックスを設けた防火措置構造が提案されている。
【０００３】
図１３は、第一の従来のアウトレットボックスの防火措置構造を説明するための模式断面図である。
中空壁を形成する壁４０，４０に貫通孔が設けられ、前記壁４０，４０の内側から前記貫通孔を覆う様にアウトレットボックス１が設置されている。前記アウトレットボックス１は開口部を有する金属製の箱形状である。前記壁４０，４０の貫通孔に前記アウトレットボックス１の開口部を向けた状態により、金具等でスタッドに取り付けられた前記アウトレットボックス１が前記壁４０，４０の内側に設置されている。
前記アウトレットボックス１の上面には挿通孔が設けられていて、この挿通孔を電線ケーブル類５０が挿通している。この電線ケーブル類５０の外周に密着するように、熱膨張性樹脂組成物からなる延焼防止部３０がアウトレットボックス１の外側に設けられている。前記延焼防止部３０は、アウトレットボックス１の内側に露出していて、前記アウトレットボックス１の挿通孔と前記電線ケーブル類５０とを閉塞している。
また前記電線ケーブル類５０の末端は配線端末７４に接続されている。さらに、前記配線端末７４を保持した保持枠７３が前記壁４０，４０に取り付けられている。
この第一の従来のアウトレットボックスの防火措置構造によれば、前記アウトレットボックスが火災等の炎にさらされた場合でも延焼を防止することができるとされる（特許文献１）。
【０００４】
しかし図１３から明らかな通り、前記壁４０，４０の内部に前記アウトレットボックス１を設置した後は、前記アウトレットボックス１が前記壁４０の貫通孔を閉塞しているため、前記壁４０，４０の外側から前記電線ケーブル類５０に対して前記延焼防止部３０を設置することが困難である。
このため前記アウトレットボックス１に前記電線ケーブル類５０を挿通させ、前記延焼防止部３０を設置した後でなければ前記アウトレットボックス１を前記壁４０，４０の内部に設置することが非常に難しくなる。このため第一の従来のアウトレットボックスの防火措置構造を施工する際には、施工者の習熟度に依存して施工時間が遅延したり、仕上がり精度に不備が生じたりする問題があった。
さらには前記アウトレットボックス１を前記壁４０，４０の内部に設置した後は、設置された第一の従来のアウトレットボックスの防火措置構造に不具合があるかどうかを前記壁４０，４０の外部から検査することが困難である問題もあった。
【０００５】
図１４は、第二の従来のアウトレットボックスの防火措置構造を説明するための模式断面図である。
前記第二の従来のアウトレットボックスの防火措置構造は、先の第一の従来のアウトレットボックスの防火措置構造と比較して、電線ケーブル類５０をアウトレットボックス１の挿通孔に固定する際に、筒状固定具６０と筒状固定受具６１とを使用している点が異なる。
前記電線ケーブル類５０に筒状固定具６０を耐熱接着剤等により固定し、前記アウトレットボックス１の挿通孔に筒状固定受具６１を固定し、前記筒状固定具６０と筒状固定受具６１とをはめ合わせることにより、前記電線ケーブル類５０をアウトレットボックス１の挿通孔に固定することができる。
また前記第二の従来のアウトレットボックスの防火措置構造は、先の第一の従来のアウトレットボックスの防火措置構造と比較して、前記筒状固定受具６１と前記電線ケーブル類５０との隙間ならびに前記アウトレットボックス１と壁４１との隙間を耐熱パテ８０で閉塞し、前記アウトレットボックス１の内部に熱膨張性耐火シート２０を挿入した点、さらに円筒状の筒状固定具６０と筒状固定受具６１との周囲を熱膨張性耐火シート８１により巻いた点が異なる。
この第二の従来のアウトレットボックスの防火措置構造によれば、より確実な防火性能を確保することができるとされる（特許文献２）。
【０００６】
しかし前記第二の従来のアウトレットボックスの防火措置構造の場合も、前記アウトレットボックスを壁４１に設置した後では、前記アウトレットボックス１と壁４１との隙間を前記壁４１の外側から耐熱パテ８０で閉塞することが困難となる問題があった。
また前記アウトレットボックス１を前記壁４１の内部に設置した後は壁４１の外側から前記筒状固定具６０と筒状固定受具６１との接続状態を観察できないことから、設置された第二の従来のアウトレットボックスの防火措置構造に不具合があるかどうかを前記壁４１の外部から検査することが困難である問題も依然として残る。
【先行技術文献】
【特許文献】
【０００７】
【特許文献１】特開２００９−０５５６９７号公報
【特許文献２】特開２０１１−１９３７１７号公報
【発明の概要】
【発明が解決しようとする課題】
【０００８】
さらに本発明者らが検討を重ねたところ、次の問題があることを発見した。
先に説明した第二の従来のアウトレットボックスの防火措置構造が火災等の熱にさらされると、前記筒状固定具６０と筒状固定受具６１とが溶融、焼失等し、前記筒状固定受具６１内部に設置された耐熱パテ８０が、前記電線ケーブル類５０に沿って前記アウトレットボックス１の内部に垂れ下がる場合がある。
前記耐熱パテ８０が前記アウトレットボックス１の内部にあると、前記アウトレットボックス１の内部に挿入された熱膨張性耐火シート２０の自由な膨張が妨げられる。
この結果、前記アウトレットボックス１の内部が、前記熱膨張性耐火シート２０による膨張残渣により完全には閉塞されず、火災等の炎、煙等が通過してしまう可能性がある。
【０００９】
また前記壁４１に設けられた貫通孔の内面には、壁４１の粉状の内容物が削られて露出している。このため前記貫通孔の内面に粘着性の機能のある耐火物を貼着することが難しい問題もあった。
【００１０】
また市販されているアウトレットボックスは、通常アウトレットボックス本体と鍔板とが着脱自在に組み合わされて使用される。
ところがこの鍔板の形状はアウトレットボックスを製造販売する会社により異なる。
このため実際の作業現場に供給された前記鍔板の形状が施工手順書に記載されている鍔板の形状と異なる場合等には追加の調整作業が発生するため、施工作業が遅延する問題があった。
【００１１】
本発明の目的は、壁の内部にアウトレットボックスが取り付けられた後でも、貫通孔の内面の状態に左右されることなく簡単に防火措置を行うことができ、設計通りの防火措置が行われているかどうかの検査を壁の外側から行うことができ、アウトレットボックス本体の形状および鍔版の形状に依存することなく簡単に施工を行うことができ、前記アウトレットボックスが火災等の熱にさらされた場合に、前記アウトレットボックス内部を火災等の炎、煙等が通ることを防ぐことができるアウトレットボックスの防火措置構造およびその施工方法を提供することにある。
【課題を解決するための手段】
【００１２】
上記課題を解決するために本発明者らが鋭意検討した結果、貫通孔を有する壁に対して、前記貫通孔を覆う様に設置されたアウトレットボックスの構造であって、曲げられた熱膨張性耐火シートが前記貫通孔の内部に挿入されているアウトレットボックスの防火措置構造が、本発明の目的に適うことを見出し、本発明を完成するに至った。
【００１３】
すなわち本発明は、
［１］貫通孔を有する壁に対して、前記貫通孔を覆う様に設置されたアウトレットボックスの防火措置構造であって、
前記アウトレットボックスが、背面板および前記背面板の外周に接合された側面板により囲まれた空間を有し、前記アウトレットボックスの開口部側を壁側に向けて壁に設置され、
電線ケーブル類が、前記アウトレットボックスの背面板および側面板の少なくとも一方に形成された挿通孔を挿通し、
曲げられた熱膨張性耐火シートが、前記壁の貫通孔の内部に挿入されていることを特徴とする、アウトレットボックスの防火措置構造を提供するものである。
【００１４】
また本発明の一つは、
［２］前記曲げられた熱膨張性耐火シートが、下記（１）〜（３）からなる群より選ばれる少なくとも一つである、上記［１］に記載のアウトレットボックスの防火措置構造を提供するものである。
（１）Ｕ字状に曲げられた熱膨張性耐火シート
（２）筒状に曲げられた熱膨張性耐火シート
（３）らせん状に曲げられた熱膨張性耐火シート
【００１５】
また本発明の一つは、
［３］前記アウトレットボックスが、アウトレットボックス本体と開口部を有する鍔板とを着脱自在に組み合わせてなり、
前記開口部を有する鍔板が、前記アウトレットボックス本体の開口部側に設置され、
支持枠体が、前記アウトレットボックスが設置された側とは反対側の壁の貫通孔外部に設置され、
連結部材が、前記壁の貫通孔を挿通し、前記開口部を有する鍔板と前記支持枠体とを着脱自在に連結している、上記［１］または［２］に記載のアウトレットボックスの防火措置構造を提供するものである。
【００１６】
また本発明の一つは、
［４］前記開口部を有する鍔板が、連結部材受部を有し、
前記曲げられた熱膨張性耐火シートが、切り込みを有し、
前記開口部を有する鍔板の連結部材受部が、前記曲げられた熱膨張性耐火シートの切り込みに挿入されている、上記［１］〜［３］のいずれかに記載のアウトレットボックスの防火措置構造を提供するものである。
【００１７】
また本発明の一つは、
［５］前記連結部材が、前記曲げられた熱膨張性耐火シートを支持している、上記［１］〜［４］のいずれかに記載のアウトレットボックスの防火措置構造を提供するものである。
【００１８】
また本発明の一つは、
［６］前記電線ケーブル類が、端部に筒状固定具が設置された可撓電線管の内部を挿通し、
筒状固定受具が、前記アウトレットボックスの挿通孔に設置され、
前記可撓電線管の端部に設置された筒状固定具が、前記アウトレットボックスの挿通孔に設置された筒状固定受具にはめ合わされ、
配電盤が、前記支持枠体に設置され、
前記可撓電線管の内部を挿通する前記電線ケーブル類が、前記アウトレットボックス内部に導入されて、前記配電盤に接続され、
前記配電盤が、有線通信用コンセント、電源用コンセント、電源用スイッチ、電源用ブレーカー、通電表示灯および情報表示装置からなる群より選ばれる少なくとも一つを備え、
前記配電盤および前記支持枠体が、化粧板により前記壁の外部から覆われ、前記化粧板の開口部を通じて、前記配電盤の電源用コンセント、電源用スイッチおよび電源用ブレーカーを操作でき、前記配電盤の通電表示灯および情報表示装置を視認できる、上記［１］〜［５］のいずれかに記載のアウトレットボックスの防火措置構造を提供するものである。
【００１９】
また本発明は、
［７］背面板および前記背面板の外周に接合された側面板により囲まれた空間を有するアウトレットボックスを、前記アウトレットボックスの開口部側を壁側に向けて、壁に設置する工程（１）と、
前記アウトレットボックスの背面板および側面板の少なくとも一方に形成された挿通孔に、電線ケーブルを挿通させる工程（２）と、
前記壁の垂直方向を基準として、前記壁の貫通孔の一部または全部と、前記アウトレットボックスの開口部の一部または全部とが互いに重なる位置に、前記壁に貫通孔を設ける工程（３）と、
曲げられた熱膨張性耐火シートを、前記壁の貫通孔の内部に挿入する工程（４）と、
を少なくとも有する、上記［１］〜［６］のいずれかに記載のアウトレットボックスの防火措置構造の施工方法を提供するものである。
【００２０】
また本発明の一つは、
［８］
前記工程（４）が、下記（４−１）〜（４−３）からなる群より選ばれる少なくとも一つである、上記［７］に記載のアウトレットボックスの防火措置構造の施工方法を提供するものである。
（４−１）Ｕ字状に曲げられた熱膨張性耐火シートを、前記壁の貫通孔の内部に設置する工程
（４−２）筒状に曲げられた熱膨張性耐火シートを、前記壁の貫通孔の内部に設置する工程
（４−３）らせん状に曲げられた熱膨張性耐火シートを、前記壁の貫通孔の内部に設置する工程
【００２１】
また本発明の一つは、
［９］支持枠体を、前記アウトレットボックスが設置された側とは反対側の壁の貫通孔外部に設置する工程（５）と、
アウトレットボックス本体と開口部を有する鍔板とを着脱自在に組み合わせてなるアウトレットボックスに設置された前記開口部を有する鍔板と、
前記支持枠体と、を、
前記壁の貫通孔を挿通させた連結部材により、着脱自在に連結する工程（６）と、
を有する、上記［７］または［８］に記載のアウトレットボックスの防火措置構造の施工方法を提供するものである。
【００２２】
また本発明の一つは、
［１０］前記開口部を有する鍔板が、連結部材受部を有し、
前記曲げられた熱膨張性耐火シートが、切り込みを有し、
前記開口部を有する鍔板の連結部材受部を、前記曲げられた熱膨張性耐火シートの切り込みに挿入する工程（７）を有する、上記［９］に記載のアウトレットボックスの防火措置構造の施工方法を提供するものである。
【発明の効果】
【００２３】
本発明のアウトレットボックスの防火措置構造は、本発明に使用するアウトレットボックスを壁に設置した後でも、前記アウトレットボックスに対して防火措置を行うことができる。
従来のアウトレットボックスの防火措置構造では、アウトレットボックスを壁に設置する前に、熱膨張性耐火シート、耐熱パテ等の耐火のための材料を設計上定められた位置に設置しなければ防火措置を行うことができなかった。
このため従来のアウトレットボックスの防火措置構造では、前記アウトレットボックスの防火措置構造が完成した後でなければ壁等を設置することができず、前記アウトレットボックスの防火措置構造の施工に時間がかかると建築作業全体が遅延する問題があった。
これに対し本発明のアウトレットボックスの防火措置構造は、前記アウトレットボックスを壁に設置した後に、熱膨張性耐火シートを用いて得られることから簡単に施工することができる。
前記アウトレットボックスを壁に先に設置することができれば、次の施工作業を行う際に本発明のアウトレットボックスの防火措置構造の完成を待つ必要がなく、短時間で効率よく建築作業を進めることができる。
【００２４】
また本発明のアウトレットボックスの防火措置構造の場合は、前記壁の貫通孔を通じて前記アウトレットボックスの内部を観察することにより、曲げられた熱膨張性耐火シートが所定の位置に設置されているかどうかを簡単に確認することができる。
本発明のアウトレットボックスの防火措置構造は設計通りに施工されているかどうかの検査を簡単に行うことができる。
【００２５】
また本発明のアウトレットボックスの防火措置構造の場合は、前記アウトレットボックスの形状、壁の貫通孔の内面の状態等に依存せず、簡単に施工を行うことができる。
【００２６】
また本発明のアウトレットボックスの防火措置構造の場合は、前記アウトレットボックスの防火措置構造が火災等の熱にさらされた場合に、従来のアウトレットボックスの防火措置構造の様に曲げられた熱膨張性耐火シートの膨張を妨げるものがなく、前記壁の貫通孔の内部が前記曲げられた熱膨張性耐火シートによる膨張残渣により閉塞される。
このため前記壁の貫通孔を通じて火災等の炎、煙等が広がることを防ぐことができることから、本発明のアウトレットボックスの防火措置構造は防火性に優れる。
【００２７】
従来のアウトレットボックスの防火措置構造を施工する際には、耐熱パテ等のシール剤を使用していたため、従来のアウトレットボックスの防火措置構造の施工現場付近が耐熱パテ等のシール剤により汚れるという問題もあった。
これに対し本発明のアウトレットボックスの防火措置構造を施工する際には、曲げられた熱膨張性耐火シートを壁の貫通孔の内部に挿入することにより施工することが可能である。このため耐熱パテ等のシール剤を使用する必要がなく、これらの熱膨張性耐火シートを使用するだけで施工することができるため、誰でも簡単に施工することが可能であり、耐熱パテ等のシール剤により施工現場付近が汚れる問題が発生しない。
【図面の簡単な説明】
【００２８】
【図１】図１は、本発明に使用するアウトレットボックスを例示した模式斜視図である。
【図２】図２は、本発明に使用するアウトレットボックスを例示した模式斜視図である。
【図３】図３は、アウトレットボックスに使用する鍔板の形状を説明するための模式正面図である。
【図４】図４は、本発明に使用する熱膨張性耐火シートの形状を説明するための模式斜視図である。
【図５】図５は、本発明に使用する熱膨張性耐火シートの形状を説明するための模式斜視図である。
【図６】図６は、熱膨張性耐火シートの切り込みを説明するための模式斜視図である。
【図７】図７は、実施例１に係るアウトレットボックスの防火措置構造１００の施工工程を説明するための模式要部断面図である。
【図８】図８は、実施例１に係るアウトレットボックスの防火措置構造１００の施工工程を説明するための模式要部断面図である。
【図９】図９は、実施例１に係るアウトレットボックスの防火措置構造１００の施工工程を説明するための模式要部断面図である。
【図１０】図１０は、アウトレットボックス内部を観察した状態を説明するための模式図である。
【図１１】図１１は、実施例１に係るアウトレットボックスの防火措置構造１００の模式断面図である。
【図１２】図１２は、実施例２に係るアウトレットボックス内部を観察した状態を説明するための模式図である。
【図１３】図１３は、第一の従来のアウトレットボックスの防火措置構造を説明するための模式断面図である。
【図１４】図１４は、第二の従来のアウトレットボックスの防火措置構造を説明するための模式断面図である。
【発明を実施するための形態】
【００２９】
最初に本発明に使用するアウトレットボックスについて説明する。
図１および図２は本発明に使用するアウトレットボックスを例示した模式斜視図である。
背面板５の外周に上側面板２、横側面板３および下側面板４が隙間無く接合されることによりアウトレットボックス本体１ａが形成されている。このアウトレットボックス本体１ａの内部には背面板５、上側面板２、横側面板３および下側面板４により囲まれた直方体形状の空間が形成され、この空間に外部から電線ケーブル類を導入することができる。
前記上側面板２、横側面板３および下側面板４からなる側面板と、前記背面板５とは直角に接合されていてもよいし、曲面を含むように接合されていてもよい。
【００３０】
また前記上側面板２、横側面板３および下側面板４のそれぞれの端面１１側、すなわち開口部１０側に鍔板６が螺子７により着脱自在に組み合わされている。
本発明に使用するアウトレットボックス１は、例えば、前記アウトレットボックス本体１ａと、前記鍔板６とを着脱自在に組み合わせること等により得ることができる。
【００３１】
前記鍔板６は前記アウトレットボックス本体１ａに対し、配電盤等（図示せず）を容易に設置することができるように設けられたものであり、前記鍔板６の内部には図１に例示するように略長方形の開口部１４が設けられている。
【００３２】
前記鍔板６は、通常は壁に設けられた貫通孔を覆うことのできる大きさを有している。
これにより、前記上側面板２、横側面板３および下側面板４からなる側面板の端面側、すなわち前記アウトレットボックス本体１ａの開口部１０側を壁側に向けて前記貫通孔を覆う様にアウトレットボックスを設置することができる。
【００３３】
図２に示されるように、前記鍔板６が前記アウトレットボックス本体１ａに着脱自在に組み合わされた後は、図１に示される前記アウトレットボックス本体１ａの開口部１０と、前記鍔板６の開口部１４とは同じとなる。そこで前記アウトレットボックス１の開口部は、参照符号１４として図１に示されている。
【００３４】
また前記上側面板２には挿通孔８が形成されている。なお、使用しない挿通孔は不燃材９により閉塞密閉されている。図１では前記上側面板２の内側に不燃材９が配置されていて、貫通孔が閉塞密閉されている。前記不燃材９の素材は、前記アウトレットボックス１と同様のものを使用することができる。
【００３５】
図２に示されるように、前記鍔板６に設けられた切り欠きを含む螺子孔１２および前記側面板の端面１１に設けられた螺子孔１３に対して螺子７をねじ込むことにより、前記側面板の端面１１に前記鍔板６を設置することができる。これにより図１に示される本発明に使用するアウトレットボックス１が得られる。
なお前記鍔板６には適宜配電盤等を固定するための螺子孔を設けることができる。
【００３６】
本発明に使用するアウトレットボックス１の素材は防火性を備えたものであれば特に限定はないが、一例を挙げるとすれば、例えば、無機製、金属製等のものが使用される。
無機製のものとしては、例えば、セラミック製、陶磁器製等のものが挙げられる。
また金属製のものとしては、例えば、アルミニウム、銅、鋼鉄、ステンレス、錫、鉛等のものの一種もしくは二種以上の合金のもの等が挙げられる。
本発明に使用するアウトレットボックス１は、一例を挙げるとすれば、例えば、ＪＩＳ  Ｃ  ８３４０に規定されている電線管用金属製ボックスおよびボックスカバー等が挙げられる。具体的には、軟鉄鋼製のものが好ましく、熱間圧延軟鉄鋼板により形成されているものであればさらに好ましい。前記熱間圧延軟鉄鋼板はＪＩＳ Ｇ３１３１に規定されているものであればさらに好ましい。
【００３７】
図３は、前記アウトレットボックス１に使用する鍔板の形状を説明するための模式正面図である。
図３（ａ）〜（ｃ）に示されるように、前記アウトレットボックス１に使用される鍔板６ａ，６ｂ，６ｃの形状は多様なものが市販されているので、これらの市販品を適宜選択して使用することができる。
前記鍔板６ａ，６ｂ，６ｃはそれぞれ、開口部１４、連結部材受部１５、螺子孔１２，１６を備えている。
【００３８】
次に本発明に使用する熱膨張性耐火シートについて説明する。
図４は本発明に使用する熱膨張性耐火シート２０の形状を説明するための模式斜視図である。
本発明に使用する熱膨張性耐火シート２０は、曲げられて使用される。
曲げられた熱膨張性耐火シート２０の具体例としては、例えば図４（ａ）に例示されるＵ字状に曲げられた熱膨張性耐火シート２０ａ、図４（ｂ）に例示される筒状に曲げられた熱膨張性耐火シート２０ｂ等が挙げられる。
【００３９】
また前記筒状に曲げられた熱膨張性耐火シート２０ｂの変形例としては、例えば、図５（ｃ）に例示される隙間を有する筒状に曲げられた熱膨張性耐火シート２０ｃ、図５（ｄ）に例示される重なり部を有する筒状に曲げられた熱膨張性耐火シート２０ｄ等が挙げられる。
先に例示した図４（ｂ）に示された筒状に曲げられた熱膨張性耐火シート２０ｂは、熱膨張性耐火シートの端部２１，２１の端部が突き合わされている。
これに対して図５（ｃ）に例示される隙間を有する筒状に曲げられた熱膨張性耐火シートは、Ｃ字状に曲げられていて、前記熱膨張性耐火シートの端部２１と端部２１との間に隙間２２が設けられている。
図５（ｄ）に例示される重なり部を有する筒状に曲げられた熱膨張性耐火シート２０ｄの重なり部２３に限定はなく、一部が重なる場合でも、二周以上にわたって重なる場合でもよい。
【００４０】
またらせん状に曲げられた熱膨張性耐火シートを得るためには、例えば、図５（ｄ）に例示される重なり部を有する筒状に曲げられた熱膨張性耐火シート２０ｄの重なり部２３を、前後にずらせばよい。
前記らせん状に曲げられた熱膨張性耐火シートの側面端部同士は互いに接触していても、互いに重なっていても、互いに接触せず隙間があってもいずれの場合でもよい。
【００４１】
また本発明に使用する熱膨張性耐火シート２０は、必要に応じて切り込みを設置することができる。
図６は、熱膨張性耐火シートの切り込みを説明するための模式斜視図である。
前記熱膨張性耐火シート２０に設置された切り込み２４は、前記熱膨張性耐火シート２０を貫通している。
前記熱膨張性耐火シート２０に切り込み２４を設置することにより、前記切り込みに前記アウトレットボックス１の鍔板６の連結部材受部１５を挿入することができる（図２および図３参照）。
【００４２】
次に本発明に使用する熱膨張性耐火シート２０は柔軟性があるものが好ましい。柔軟性のある熱膨張性耐火シートは壁の貫通孔に設置する際に適宜変形させることができるから容易に施工することができる。
【００４３】
また加熱前の前記熱膨張性耐火シート２０の厚みをｔ０、前記加熱前の熱膨張性耐火シートを５０ｋｗ／ｍ２の加熱条件下で３０分間加熱した後の厚みをｔ１とした場合、前記熱膨張性耐火シート２０の熱膨張倍率はｔ１／ｔ０により定義される。
本発明に使用する前記熱膨張性耐火シート２０の熱膨張倍率は、３〜１００倍の範囲であることが好ましい。
前記熱膨張倍率が３倍以上の場合は、前記熱膨張性耐火シート２０の膨張残渣が、壁の貫通孔の内部を十分閉塞する。
また前記熱膨張倍率が１００倍以下の場合には前記熱膨張性耐火シートの膨張残渣の密度が小さくなることを防止できるため膨張残渣の強度を維持することができ、火災等で生じた熱風等により膨張残渣が崩れることを防止できる。
【００４４】
また前記熱膨張性耐火シート２０の熱膨張倍率は、２０〜６０の範囲であることがより好ましく、２０〜５０の範囲であればさらに好ましい。
【００４５】
次に本発明に使用する前記熱膨張性耐火シート２０の材料について説明する。
前記熱膨張性耐火シート２０の材料としては、例えば、熱膨張性樹脂組成物をシートの形状に成形したもの、熱膨張性樹脂組成物と基材とを積層してシートの形状に成形したもの等が挙げられる。
前記基材としては、例えば、金属板、金属箔、金属繊維シート、金属網、無機繊維シート、無機繊維網、有機樹脂板、有機樹脂フィルム、有機繊維シート、有機繊維網等が挙げられる。
【００４６】
前記金属板、金属箔、金属繊維シート、金属網等に使用する金属としては、例えば、アルミニウム、銅、鋼鉄、ステンレス、錫、鉛等の一種もしくは二種以上の合金等が挙げられる。
【００４７】
前記金属板と金属箔との関係については、前記壁の貫通孔の内部に挿入することのできる大きさの平面形状を基準として、一端を固定して水平に保持したときに一定の形状を保持できる厚さのものを金属板とし、一端を固定して水平に保持したときに折れ曲がる厚さのものを金属箔として説明する。
後述する有機樹脂板および有機樹脂フィルムとの関係についても、前記金属板と金属箔との関係と同様である。
【００４８】
前記金属繊維シートとしては、例えば、金属繊維を編むことによりシート状に成形したもの、金属繊維を編まずに樹脂等を使用してシート状に成形したもの等が挙げられる。
前記金属網としては、例えば、金属線を組み合わせて網状に成形したもの、前記金属板、金属繊維シートを金型等を使用して打ち抜くことにより多数の孔を形成したもの等が挙げられる。
【００４９】
前記無機繊維シートおよび前記無機繊維網に使用する無機繊維としては、例えば、ロックウール、セラミックウール、ガラス繊維、シリカアルミナ繊維、アルミナ繊維、シリカ繊維、ジルコニア繊維、セラミックブランケット等が挙げられる。
前記無機繊維シートとしては、例えば、無機繊維を編むことによりシート状に成形したもの、無機繊維を編まずに樹脂等を使用してシート状に成形したもの等が挙げられる。
前記無機繊維網としては、例えば、無機繊維を組み合わせて網状に成形したもの、前記無機板、無機繊維シートを金型等を使用して打ち抜くことにより多数の孔を形成したもの等が挙げられる。
【００５０】
前記有機樹脂板としては、例えば、熱可塑性樹脂板、熱硬化性樹脂板等が挙げられる。
前記有機樹脂フィルムとしては、例えば、熱可塑性樹脂フィルム、熱硬化性樹脂フィルム等が挙げられる。
前記有機繊維シートとしては、例えば、熱可塑性樹脂繊維シート、熱硬化性樹脂繊維シート等が挙げられる。
前記有機繊維網としては、例えば、熱可塑性樹脂繊維網、熱硬化性樹脂繊維網等が挙げられる。
【００５１】
前記有機樹脂板、前記有機樹脂フィルム、前記有機繊維シートおよび前記有機繊維網に使用する熱可塑性樹脂、熱硬化性樹脂に特に限定はないが、一例を挙げるとすれば後述する熱膨張性樹脂組成物に使用する樹脂成分の場合と同様である。
【００５２】
具体的には、前記有機樹脂板および前記有機樹脂フィルムに使用するのは熱可塑性樹脂が好ましく、ポリエチレン樹脂、ポリプロピレン樹脂、ポリペンテン樹脂等のポリオレフィン樹脂、ポリエチレンテレフタレート樹脂、ポリブチレンテレフタレート樹脂等のポリエステル樹脂等が挙げられる。
【００５３】
また前記有機繊維シートおよび前記有機繊維網に使用する有機繊維としては、例えば、ポリエチレン樹脂、ポリプロピレン樹脂、ポリペンテン樹脂等のポリオレフィン樹脂、ポリエチレンテレフタレート樹脂、ポリブチレンテレフタレート樹脂等のポリエステル樹脂、ポリウレタン樹脂、ポリアミド樹脂、アラミド樹脂、木綿、セルロース等が挙げられる。
【００５４】
前記有機繊維シートとしては、例えば、有機繊維を編むことによりシート状に成形した織布、有機繊維を編まずに樹脂等を使用してシート状に成形した不織布等が挙げられる。
前記有機繊維網としては、例えば、有機繊維を組み合わせて網状に成形したもの、前記有機樹脂板、有機繊維シートを金型等を使用して打ち抜くことにより多数の孔を形成したもの等が挙げられる。
【００５５】
本発明に使用する基材に特に限定はなく、一種もしくは二種以上を適宜選択して使用することができる。
【００５６】
本発明に使用する基材の実施形態の一例を挙げるとすれば、例えば、アルミニウム箔とガラス繊維シートとを積層して得られるアルミニウム箔ラミネートガラスクロス等が挙げられる。
【００５７】
前記熱膨張性樹脂組成物をシートの形状に成形する方法としては、例えば、前記熱膨張性樹脂組成物を溶融押出、熱プレス成形等によりシートの形状に成形する方法等が挙げられる。
前記熱膨張性樹脂組成物と基材とを積層してシートの形状に成形する方法としては、例えば、前記基材に対して熱膨張性樹脂組成物を溶融押出して積層する方法、前記基材と熱膨張性樹脂組成物とを熱プレス成形等により積層する方法、熱膨張性樹脂組成物を溶剤に溶解または縣濁させた塗料を前記基材に吹き付けたり、塗布したりする方法等が挙げられる。
【００５８】
次に前記熱膨張性樹脂組成物について説明する。
前記熱膨張性樹脂組成物としては、例えば、樹脂成分、熱膨張成分、無機充填材等を含むものが挙げられる。
前記樹脂成分に限定はないが、一例を挙げるとすれば、例えば、熱可塑性樹脂、熱硬化性樹脂等が挙げられる。
【００５９】
前記熱可塑性樹脂としては、具体的には、例えば、ポリエチレン樹脂、ポリプロピレン樹脂、ポリペンテン樹脂等のポリオレフィン樹脂、シリコーン樹脂、ポリスルフィド樹脂、ポリスチレン樹脂、ＡＢＳ樹脂、ポリカーボネート樹脂、ポリフェニレンエーテル樹脂、アクリル樹脂、ポリアミド樹脂、ポリ塩化ビニル系樹脂、ポリアルキレンエーテル樹脂、ポリエチレンテレフタレート樹脂、ポリブチレンテレフタレート樹脂、
天然ゴム、ブチルゴム、シリコーンゴム、ポリクロロプレンゴム、ポリブタジエンゴム、ポリイソプレンゴム、ポリイソブチレンゴム、スチレン・ブタジエンゴム、ブタジエン・アクリロニトリルゴム、ニトリルゴム、エチレン・プロピレン・ジエン共重合体等のエチレン・α−オレフィン共重合体ゴム等のゴム樹脂等が挙げられる。
【００６０】
また前記熱硬化性樹脂としては、例えば、エポキシ樹脂、ポリウレタン樹脂、ポリフェノール樹脂等が挙げられる。
前記樹脂成分を使用する際は、樹脂成分の原料となるモノマーを予備的に反応させたプレポリマーを使用することができる。
前記樹脂成分は一種もしくは二種以上を使用することができる。
【００６１】
本発明に使用する前記樹脂成分の中でもポリオレフィン樹脂、ゴム樹脂、ウレタン樹脂、エポキシ樹脂が好ましく、ウレタン樹脂、エポキシ樹脂であればより好ましい。エポキシ樹脂を使用した場合にはアウトレットボックスが火災等の熱にさらされた場合に緻密で堅固な膨張残渣を形成することからエポキシ樹脂を使用することがさらに好ましい。
【００６２】
前記ウレタン樹脂としては、例えば、イソシアネート類と多価アルコールとを反応させて得られるものが挙げられる。
前記イソシアネート類としては、例えば、フェニレンジイソシアネート、トルエンジイソシアネート（ＴＤＩ）、ジフェニルメタンジイソシアネート（ＭＤＩ）、ナフタレンジイソシアネート、ジメチルジフェニルメタンジイソシアネート等が挙げられる。
また前記多価アルコールとしては、例えば、ポリオキシアルキレンポリオール、ポリエステルポリオール、ポリオレフィンポリオール、アクリルポリオール等が挙げられる。
【００６３】
前記エポキシ樹脂としては、例えば、エポキシ基を持つモノマーと硬化剤とを反応させて得られる樹脂等が挙げられる。
【００６４】
前記エポキシ基を持つモノマーとしては、例えば、２官能のグリシジルエーテル型として、ポリエチレングリコール型、ポリプロピレングリコール型、ネオペンチルグリコール型、１，６−ヘキサンジオール型、トリメチロールプロパン型、プロピレンオキサイド−ビスフェノールＡ、水添ビスフェノールＡ型、ビスフェノールＡ型、ビスフェノールＦ型等のモノマーが挙げられる。
【００６５】
また、グリシジルエステル型として、ヘキサヒドロ無水フタル酸型、テトラヒドロ無水フタル酸型、ダイマー酸型、ｐ−オキシ安息香酸型等のモノマーが挙げられる。
【００６６】
更に多官能のグリシジルエーテル型として、フェノールノボラック型、オルトクレゾール型、ＤＰＰノボラック型、ジシクロペンタジエン、フェノール型等のモノマーが挙げられる。
【００６７】
これらは、一種もしくは二種以上を使用することができる。
【００６８】
また、前記硬化剤としては、例えば、重付加型硬化剤、触媒型硬化剤等が挙げられる。
前記重付加型硬化剤としては、例えば、ポリアミン、酸無水物、ポリフェノール、ポリメルカプタン等が挙げられる。
【００６９】
前記触媒型硬化剤としては、例えば、三級アミン類、イミダゾール類、ルイス酸錯体等が挙げられる。これらエポキシ樹脂の硬化方法は特に限定されず、公知の方法により行うことができる。
【００７０】
なお、前記樹脂成分の溶融粘度、柔軟性、粘着性等の調整のため、二種以上の樹脂成分を混合したものを使用することができる。
【００７１】
また本発明に使用する熱膨張性樹脂組成物にはリン化合物を添加することができる。
前記リン化合物としては、特に限定されず、例えば、赤リン、
トリフェニルホスフェート、トリクレジルホスフェート、トリキシレニルホスフェート、クレジルジフェニルホスフェート、キシレニルジフェニルホスフェート等の各種リン酸エステル、
リン酸ナトリウム、リン酸カリウム、リン酸マグネシウム等のリン酸金属塩、
ポリリン酸アンモニウム類、
化学式１で表される化合物等が挙げられる。
【００７２】
これらのリン化合物は、一種もしくは二種以上を使用することができる。
【００７３】
これらのうち、防火性の観点から、赤リン、下記の化学式で表される化合物、及び、ポリリン酸アンモニウム類が好ましく、性能、安全性、費用等の点においてポリリン酸アンモニウム類がより好ましい。 
【００７４】
【化１】
2014090560.tif 000003
上記化学式中、Ｒ１及びＲ３は、水素、炭素数１〜１６の直鎖状若しくは分岐状のアルキル基、又は、炭素数６〜１６のアリール基を表す。
【００７５】
Ｒ２は、水酸基、炭素数１〜１６の直鎖状若しくは分岐状のアルキル基、炭素数１〜１６の直鎖状若しくは分岐状のアルコキシル基、炭素数６〜１６のアリール基、又は、炭素数６〜１６のアリールオキシ基を表す。
【００７６】
前記化学式で表される化合物としては、例えば、メチルホスホン酸、メチルホスホン酸ジメチル、メチルホスホン酸ジエチル、エチルホスホン酸、プロピルホスホン酸、ブチルホスホン酸、２−メチルプロピルホスホン酸、ｔ−ブチルホスホン酸、２，３−ジメチル−ブチルホスホン酸、オクチルホスホン酸、フェニルホスホン酸、ジオクチルフェニルホスホネート、ジメチルホスフィン酸、メチルエチルホスフィン酸、メチルプロピルホスフィン酸、ジエチルホスフィン酸、ジオクチルホスフィン酸、フェニルホスフィン酸、ジエチルフェニルホスフィン酸、ジフェニルホスフィン酸、ビス（４−メトキシフェニル）ホスフィン酸等が挙げられる。
【００７７】
中でも、ｔ−ブチルホスホン酸は、高価ではあるが、高難燃性の点において好ましい。
【００７８】
ポリリン酸アンモニウム類としては、特に限定されず、例えば、ポリリン酸アンモニウム、メラミン変性ポリリン酸アンモニウム等が挙げられるが、難燃性、安全性、コスト、取扱性等の点からポリリン酸アンモニウムが好ましい。
【００７９】
市販品としては、例えば、クラリアント社製の「商品名：ＥＸＯＬＩＴ ＡＰ４２２」および「商品名：ＥＸＯＬＩＴ ＡＰ４６２」等が挙げられる。
【００８０】
前記リン化合物は、炭酸カルシウム、炭酸亜鉛等の金属炭酸塩と反応して、金属炭酸塩の膨張を促すと考えられ、特に、リン化合物として、ポリリン酸アンモニウムを使用した場合に、高い膨張効果が得られる。また、有効な骨材として働き、燃焼後に形状保持性の高い残渣を形成する。
【００８１】
次に前記熱膨張性樹脂組成物の各成分のうち、前記熱膨張成分について説明する。前記熱膨張成分は加熱時に膨張するものであるが、かかる熱膨張性成分に特に限定はなく、例えば、バーミキュライト、カオリン、マイカ、熱膨張性黒鉛等の熱膨張性層状無機物が挙げられる。
前記熱膨張成分は、構成成分等によってその熱膨張開始温度が異なるものを市販品として入手することができる。本発明では、異なる熱膨張開始温度を有する前記熱膨張成分を選択することにより、熱膨張性耐火シート２０の熱膨張開始温度を変化させることができる。
【００８２】
前記熱膨張性黒鉛とは、従来公知の物質であり、天然鱗状グラファイト、熱分解グラファイト、キッシュグラファイト等の粉末を、濃硫酸、硝酸、セレン酸等の無機酸と、濃硝酸、過塩素酸、過塩素酸塩、過マンガン酸塩、重クロム酸塩、過酸化水素等の強酸化剤とで処理してグラファイト層間化合物を生成させたものであり、炭素の層状構造を維持したままの結晶化合物の一種である。 
【００８３】
上記のように酸処理して得られた熱膨張性黒鉛は、更にアンモニア、脂肪族低級アミン、アルカリ金属化合物、アルカリ土類金属化合物等で中和したものを使用するのが好ましい。
【００８４】
前記脂肪族低級アミンとしては、例えば、モノメチルアミン、ジメチルアミン、トリメチルアミン、エチルアミン、プロピルアミン、ブチルアミン等が挙げられる。
【００８５】
前記アルカリ金属化合物および前記アルカリ土類金属化合物としては、例えば、カリウム、ナトリウム、カルシウム、バリウム、マグネシウム等の水酸化物、酸化物、炭酸塩、硫酸塩、有機酸塩等が挙げられる。
【００８６】
前記熱膨張性黒鉛の粒度は、２０〜２００メッシュの範囲のものが好ましい。
【００８７】
粒度が２０メッシュより小さくなると、黒鉛の膨張度が小さく、充分な膨張残渣が得られにくく、また、粒度が２００メッシュより大きくなると、黒鉛の膨張度が大きいという利点はあるが、前記熱可塑性樹脂又はエポキシ樹脂と混練する際に分散性が悪くなり、物性が低下し易い。
【００８８】
上記中和された熱膨張性黒鉛の市販品としては、例えば、ＵＣＡＲ ＣＡＲＢＯＮ社製
の「ＧＲＡＦＧＵＡＲＤ＃１６０」、「ＧＲＡＦＧＵＡＲＤ＃２２０」、東ソー社製の「ＧＲＥＰ−ＥＧ」等が挙げられる。
【００８９】
次に先の熱膨張性樹脂組成物の各成分のうち、前記無機充填材について説明する。
前記無機充填材としては、特に限定されないが、例えば、シリカ、珪藻土、アルミナ、酸化亜鉛、酸化チタン、酸化カルシウム、酸化マグネシウム、酸化鉄、酸化錫、酸化アンチモン、フェライト類、水酸化カルシウム、水酸化マグネシウム、水酸化アルミニウム、塩基性炭酸マグネシウム、炭酸カルシウム、炭酸マグネシウム、炭酸亜鉛、炭酸バリウム、ドーソナイト、ハイドロタルサイト、硫酸カルシウム、硫酸バリウム、石膏繊維、ケイ酸カルシウム等のカリウム塩、タルク、クレー、マイカ、モンモリロナイト、ベントナイト、活性白土、セビオライト、イモゴライト、セリサイト、ガラス繊維、ガラスビーズ、シリカ系バルン、窒化アルミニウム、窒化ホウ素、窒化ケイ素、カーボンブラック、グラファイト、炭素繊維、炭素バルン、木炭粉末、各種金属粉、チタン酸カリウム、硫酸マグネシウム、チタン酸ジルコン酸鉛、アルミニウムボレート、硫化モリブデン、炭化ケイ素、ステンレス繊維、ホウ酸亜鉛、各種磁性粉、スラグ繊維、フライアッシュ、無機系リン化合物、シリカアルミナ繊維、アルミナ繊維、シリカ繊維、ジルコニア繊維等が挙げられる。
【００９０】
これらは、一種もしくは二種以上を使用することができる。
【００９１】
前記無機充填材は骨材的役割を果たして、加熱後に生成する膨張残渣強度の向上や熱容量の増大に寄与する。
【００９２】
このため、炭酸カルシウム、炭酸亜鉛で代表される金属炭酸塩、骨材的役割の他に加熱時に吸熱効果も付与する水酸化アルミニウム、水酸化マグネシウムで代表される含水無機物が好ましく、アルカリ金属、アルカリ土類金属、及び周期律表ＩＩｂの金属炭酸塩又はこれらと前記含水無機物との混合物が好ましい。
【００９３】
本発明に使用する無機充填材が粒状の場合には、その粒径としては、０．５〜２００μｍの範囲のものが好ましく、１〜５０μｍの範囲のものがより好ましい。 
【００９４】
無機充填材の添加量が少ないときは、分散性が性能を大きく左右するため、粒径の小さいものが好ましいが、粒径０．５μｍ以上では二次凝集を防止することができ、分散性が悪くなることを防ぐことができる。
【００９５】
また、無機充填材の添加量が多いときは、高充填が進むにつれて、樹脂組成物の粘度が高くなり成形性が低下するが、粒径を大きくすることによって樹脂組成物の粘度を低下させることができる点から、上記範囲の中でも粒径の大きいものが好ましい。
【００９６】
なお、粒径が２００μｍ以下であれば、成形体の表面性、樹脂組成物の力学的物性が低下することを防ぐことができる。
【００９７】
前記無機充填材の中でも、特に骨材的役割を果たす炭酸カルシウム、炭酸亜鉛等の金属炭酸塩、
骨材的役割の他に加熱時に吸熱効果を付与する水酸化アルミニウム、水酸化マグネシウム等の含水無機物が好ましい。
【００９８】
前記含水無機物及び金属炭酸塩を併用することは、燃焼残渣の強度向上や熱容量増大に大きく寄与すると考えられる。
【００９９】
前記無機充填材の中で、特に水酸化アルミニウム、水酸化マグネシウム等の含水無機物は、加熱時の脱水反応によって生成した水のために吸熱が起こり、温度上昇が低減されて高い耐熱性が得られる点、および、燃焼残渣として酸化物が残存し、これが骨材となって働くことで燃焼残渣の強度が向上する点で好ましい。
【０１００】
また、水酸化マグネシウムと水酸化アルミニウムは、脱水効果を発揮する温度領域が異なるため、併用すると脱水効果を発揮する温度領域が広くなり、より効果的な温度上昇抑制効果が得られることから、併用することが好ましい。
【０１０１】
前記含水無機物の粒径は、小さくなると嵩が大きくなって高充填化が困難となるので、脱水効果を高めるために高充填するには粒径の大きなものが好ましい。具体的には、粒径が１８μｍでは、１．５μｍの粒径に比べて充填限界量が約１．５倍程度向上することが知られている。さらに、粒径の大きいものと小さいものとを組み合わせることによって、より高充填化が可能となる。
【０１０２】
前記含水無機物の市販品としては、例えば、水酸化アルミニウムとして、粒径１μｍの「商品名：ハイジライトＨ−４２Ｍ」（昭和電工社製）、粒径１８μｍの「商品名：ハイジライトＨ−３１」（昭和電工社製）等が挙げられる。
【０１０３】
前記炭酸カルシウムの市販品としては、例えば、粒径１．８μｍの「商品名：ホワイトンＳＢ赤」（白石カルシウム社製）、粒径８μｍの「商品名：ＢＦ３００」（備北粉化社製）等が挙げられる。
【０１０４】
冒頭に説明したとおり、本発明に使用する熱膨張性樹脂組成物としては、上記に説明した樹脂成分、前記熱膨張成分、前記無機充填材等を含む樹脂組成物からなるもの等を挙げることができるが、次にこれらの配合について説明する。
【０１０５】
前記樹脂組成物は、前記樹脂成分１００重量部に対し、前記熱膨張成分を２０〜３５０重量部及び前記無機充填材を５０〜４００重量部の範囲で含むものが好ましい。また、前記熱膨張成分および前記無機充填材の合計は、２００〜６００重量部の範囲が好ましい。
【０１０６】
かかる樹脂組成物は加熱によって膨張し膨張残渣を形成する。この配合によれば、前記熱膨張性樹脂組成物は火災等の加熱によって膨張し、必要な体積膨張率を得ることができ、膨張後は所定の断熱性能を有すると共に所定の強度を有する残渣を形成することもでき、安定した防火性能を達成することができる。
【０１０７】
前記熱膨張成分の量が２０重量部以上であると、膨張倍率が向上し、充分な耐火、防火性能が得られる。
一方、熱膨張成分の量が３５０重量部以下であると、擬集力が向上するため、成形品の強度が大きくなる。
また前記無機充填材の量が５０重量部以上であると、燃焼後の残体積量を確保することができるため、十分な膨張残渣が得られる。さらに可燃物の比率が減少するため、難燃性が向上する。
【０１０８】
一方、無機充填材の量が４００重量部以下であると樹脂成分の配合比率が増加するため、十分な凝集力が得られるため成形品としての強度を確保することができる。
【０１０９】
前記樹脂組成物における熱膨張成分および無機充填材の合計量は、２００重量部以上では燃焼後の残渣量を確保することができ十分な防火性能が得られ、６００重量部以下であると機械的物性の低下を防ぐことができ、長期の使用に耐えられる。
【０１１０】
さらに本発明に使用する前記熱膨張性樹脂組成物は、それぞれ本発明の目的を損なわない範囲で、必要に応じて、フェノール系、アミン系、イオウ系等の酸化防止剤の他、金属害防止剤、帯電防止剤、安定剤、架橋剤、滑剤、軟化剤、顔料等の添加剤、ポリブテン、石油樹脂等の粘着付与剤を含むことができる。
【０１１１】
次に前記熱膨張性樹脂組成物の製造方法について説明する。
前記熱膨張性樹脂組成物の製造方法に特に限定はないが、例えば、前記熱膨張性樹脂組成物を有機溶剤に懸濁させたり、加温して溶融させたりして塗料状とする方法、溶剤に分散してスラリーを調製する等の方法、前記熱膨張性樹脂組成物を加熱下に溶融させる等の方法により前記熱膨張性樹脂組成物を得ることができる。
【０１１２】
前記熱膨張性樹脂組成物は、上記各成分を単軸押出機、二軸押出機、バンバリーミキサー、ニーダーミキサー、混練ロール、ライカイ機、遊星式撹拌機等公知の装置を用いて混練することにより得ることができる。
【０１１３】
また、前記熱膨張性樹脂組成物の樹脂成分として熱硬化性樹脂を使用する場合には、熱可塑性樹脂のモノマーと硬化剤とに別々に充填材を混練しておき、成形直前にスタティックミキサー、ダイナミックミキサー等で混練して得ることもできる。
【０１１４】
以上説明した方法により、本発明に使用する前記熱膨張性樹脂組成物を得ることができる。この熱膨張性樹脂組成物を溶融押出、熱プレス成形等の方法により前記熱膨張性耐火シート２０を得ることができる。
【０１１５】
本発明に使用する前記熱膨張性耐火シート２０は、先に説明した通り、熱膨張性樹脂組成物をシートの形状に成形したもの、熱膨張性樹脂組成物と基材とを積層してシートの形状に成形したもの等を使用することができる。
【０１１６】
取り扱い性の面から、前記膨張性耐火シート２０は、金属箔層、熱膨張性樹脂層および無機繊維層等を積層したものを使用することが好ましい。これらの積層には溶融同時押出、熱プレス等の他、接着剤により各層を貼着する手段等が挙げられる。
【０１１７】
本発明に使用する前記膨張性耐火シート２０は、市販品を適宜選択して使用することができる。この様な市販品としては、例えば、積水化学工業社製のフィブロック（登録商標。エポキシ樹脂やゴムと、熱膨張性黒鉛等を含有する樹脂組成物を含むシート材料）、住友スリーエム社製のファイアバリア（クロロプレンゴムとバーキュライトを含有する樹脂組成物からなるシート材料、膨張率：３倍、熱伝導率：０．２０ｋｃａｌ／ｍ・ｈ・℃）、三井金属塗料化学社製のメジヒカット（ポリウレタン樹脂と熱膨張性黒鉛を含有する樹脂組成物からなるシート材料、膨張率：４倍、熱伝導率：０．２１ｋｃａｌ／ｍ・ｈ・℃）等が挙げられる。
【０１１８】
次に本発明に使用される壁について説明する。
本発明に使用される壁としては、例えば、建築物の壁、間仕切り壁、床、天井等、船舶の防水区画や船室に設けられた鋼板等が挙げられる。
【０１１９】
前記壁に使用される素材は、コンクリート、不燃性ボード、鋼板等が挙げられる。
前記不燃性ボードとしては、例えば、無機繊維を成形した無機繊維ボード、耐熱パネル等が挙げられる。
【０１２０】
前記無機繊維ボードとしては、例えば、グラスウール、ロックウール、セラミックウール、石膏繊維、炭素繊維、ステンレス繊維、スラグ繊維、シリカアルミナ繊維、アルミナ繊維、シリカ繊維、ジルコニア繊維等の無機繊維を焼結剤、熱可塑性樹脂、接着剤等を使用して成形して得られるボード等が挙げられる。
【０１２１】
また前記耐熱パネルとしては、例えば、セメント系パネル、無機セラミック系パネル等が挙げられる。
前記セメント系パネルとしては、例えば、硬質木片セメント板、無機繊維含有スレート板、軽量気泡コンクリート板、モルタル板、プレキャストコンクリート板等が挙げられる。
前記無機セラミック系パネルとしては、例えば、石膏ボード、けい酸カルシウム板、炭酸カルシウム板、ミネラルウール板、窯業系板等が挙げられる。
【０１２２】
ここで前記石膏ボードとしては、具体的には焼石膏に鋸屑やパーライト等の軽量材を混入し、両面に厚紙を貼って成形したもので、例えば、普通石膏ボード（ＪＩＳ Ａ６９０１準拠：ＧＢ−Ｒ）、化粧石膏ボード（ＪＩＳ Ａ６９１１準拠：ＧＢ−Ｄ）、防水石膏ボード（ＪＩＳ Ａ６９１２準拠：ＧＢ−Ｓ）、強化石膏ボード（ＪＩＳ Ａ６９１３準拠：ＧＢ−Ｆ）、吸音石膏ボード（ＪＩＳ Ａ６３０１準拠：ＧＢ−Ｐ）等が挙げられる。
【０１２３】
前記壁に使用される素材は一種もしくは二種以上を使用することができる。
【０１２４】
また本発明に使用する壁に限定はなく、通常壁に使用されるものを適宜選択して使用することができる。前記壁の具体的な形状としては、例えば、内部に空間のない壁、内部に空間がある中空壁等を使用することができる。
前記中空壁としては、例えば、金属フレーム、鉄骨等の枠材に、前記耐熱パネル等を固定した構造のもの等が挙げられる。
前記壁として中空壁を使用する場合には、前記中空壁の内部に無機繊維等を設置することもできる。
前記無機繊維としては、例えば、グラスウール、ロックウール、セラミックウール、石膏繊維、炭素繊維、ステンレス繊維、スラグ繊維、シリカアルミナ繊維、アルミナ繊維、シリカ繊維、ジルコニア繊維等が挙げられる。
【０１２５】
次に実施例により、前記アウトレットボックスを使用した本発明の実施形態について図面を参照しつつさらに詳細に説明する。
なお、本発明はこれらの実施例により何ら限定されるものではない。
【実施例１】
【０１２６】
図７〜図９は、実施例１に係るアウトレットボックスの防火措置構造１００の施工工程を説明するための模式要部断面図である。 
図７に示されるように、金具等でスタッドに取り付けられた前記アウトレットボックス１が前記壁４０の内側に設置されている。
前記アウトレットボックスは金属製であり、前記壁４０は厚さ２１ｍｍの強化石膏ボード４１ａを２枚重ねて形成されている。
また実施例１に使用したアウトレットボックス１の構造は、図１および２に使用したものと同様である。
図７に示されるアウトレットボックス１は、金具等を使用してスタッドに固定することにより、壁に設置することができる（図示せず）。前記アウトレットボックス１を壁に設置するための金具、スタッド等は市販されていて、市販されている金具、スタッド等を適宜選択して使用することができる。
【０１２７】
スタッドを用いて前記アウトレットボックス１を前記壁４０に設置する際には、前記壁４０に近接させて設置することが好ましい。
【０１２８】
次に図７に示されるように、前記アウトレットボックス１に形成された挿通孔８（図１参照）から前記アウトレットボックス１内部に電線ケーブル類５０を挿通させる。
本発明に使用する電線ケーブル類５０としては、例えば、電力線用ケーブル、アンテナ線用ケーブル、光ファイバーケーブル等が挙げられる。電線ケーブル類は単芯もしくは２芯以上のものを使用することができる。
【０１２９】
前記電力線用ケーブル、アンテナ線用ケーブル等は銅等の金属配線をポリエチレン樹脂、塩化ビニル樹脂、ガラス繊維等の絶縁体により被覆されたものを使用することが好ましい。
前記光ファイバーケーブルは、光ファイバーが合成樹脂製のもの、ガラス製のもの等を使用することができる。 
【０１３０】
実施例１に使用した電線ケーブル類５０は、電力線用ケーブル５１が可撓電線管５２内を挿通しているものである。
前記可撓電線管５２は合成樹脂製で自由に曲げることができるものであり、市販品を適宜選択して使用することができる。前記可撓電線管５２はＪＩＳ Ｃ８４１１に準拠するものであれば好ましい。
【０１３１】
前記可撓電線管５２のアウトレットボックス１側末端に筒状固定具６０が固定されている。一方、前記アウトレットボックス１の挿通孔８に筒状固定受具６１が隙間無く密着設置されている。前記筒状固定具６０と前記筒状固定受具６１とをはめ合わせて固定することにより、前記可撓電線管５２の末端を前記アウトレットボックス１に密着して設置することができる。
前記筒状固定具６０と前記筒状固定受具６１とはそれぞれ配管コネクターとして市販されているもの等を適宜選択して使用することができる。
【０１３２】
次に図８に示されるように、前記壁４０に貫通孔４３を開ける。前記アウトレットボックス１の開口部１４と前記壁４０の貫通孔４３とは、前記壁４０の垂直方向を基準として、前記壁４０の貫通孔４３の一部または全部と、前記アウトレットボックス１の開口部１４の一部または全部とが互いに重なる位置に調整される。
【０１３３】
実施例１の場合は、金具等でスタッドに取り付けられた前記アウトレットボックス１が前記壁４０の内側に設置されている。前記アウトレットボックス１の位置に対応する前記壁４０に貫通孔４３を開けた。
これに対して前記壁４０に貫通孔４３を開けてから、金具等でスタッドに取り付けられた前記アウトレットボックス１を前記貫通孔４３を覆う様に前記壁４０に設置することもできる。
【０１３４】
次に図９に示されるように、熱膨張性耐火シート２０を、前記壁４０に形成された貫通孔４３の内部に曲げて挿入する。
実施例１の場合は、前記熱膨張性耐火シート２０として積水化学工業社製のフィブロック（登録商標。エポキシ樹脂を含む熱膨張性耐火シート）を使用した。
実施例１に使用される前記熱膨張性耐火シート２０は、前記アウトレットボックス１が火災等の炎により加熱された場合に、前記壁４０に形成された貫通孔４３の内部を十分閉塞するだけの膨張残渣が生じるように、その膨張倍率、厚み等を決定することができる。
【０１３５】
前記熱膨張性耐火シート２０には切り込み２４が設けられていて、この切り込み２４に前記開口部を有する鍔板６の連結部材受部１５に挿入する。
前記切り込み２４を前記連結部材受部１５に挿入することにより、前記熱膨張性耐火シート２０を前記壁４０に形成された貫通孔４３の内部に固定することができる。
【０１３６】
図１０は、前記アウトレットボックス１が設置された側とは反対側の壁４０側から、前記壁４０の垂直方向を基準として前記アウトレットボックス１内部を観察した状態を説明するための模式図である。
なお説明の便宜上図１０では、前記壁４０、前記貫通孔４３、前記鍔板の連結部材受部１５、前記熱膨張性耐火シート２０のみが記載されている。
【０１３７】
図１０に示されるように、二つの前記熱膨張性耐火シート２０，２０がＵ字状に曲げられていて、前記壁４０に形成された貫通孔４３の内部に挿入されている。
二つの前記熱膨張性耐火シート２０，２０は、壁４０に形成された貫通孔４３の内部を、前記壁４０の内周方向に全て覆うように配置することが好ましい。
このため二つの前記熱膨張性耐火シート２０，２０の端部同士は互いに突き合わされていても、または、互いに重ね合わされていてもよい。
二つの前記熱膨張性耐火シート２０，２０の端部同士は、火災等の熱により生じた前記熱膨張性耐火シート２０の膨張残渣により前記壁４０に形成された貫通孔４３の内部が均一に閉塞されるように、二つの前記熱膨張性耐火シート２０，２０の端部同士に隙間がないことが好ましく、互いに突き合わされていいることがより好ましく、互いに重ね合わされていればさらに好ましい。
【０１３８】
図１０に示されるように前記アウトレットボックス１に対する前記熱膨張性耐火シート２０の設置状況を、前記アウトレットボックス１を壁４０に設置した後でも直接肉眼により確認することができる。
【０１３９】
従来のアウトレットボックスの防火措置構造の場合は、壁にアウトレットボックスを設置した後は設計通りにアウトレットボックスに対して防火措置が実施されているかどうかを壁の外側から確認することが困難であった。
これに対し、実施例１に係るアウトレットボックスの防火措置構造１００の場合は、設計通りにアウトレットボックス１に対して防火措置が実施されているかどうかを壁４０の外側から簡単に確認することができる。この点は以下の実施例の場合も同様である。
【０１４０】
また、実施例１に係るアウトレットボックスの防火措置構造の場合は、前記壁４１に設けられた貫通孔の内面に壁４１の粉状の内容物が削られて露出している場合でも、実際の作業現場に使用される前記鍔板の形状が施工手順書に記載されている鍔板の形状と異なる場合でも、問題なく施工することができる。
このため実施例１に係るアウトレットボックスの防火措置構造は施工性に優れる。
【０１４１】
次に図１１に示されるように、前記電力線用ケーブル５１の末端を配電盤７０に接続する。
前記配電盤７０には、インターネット回線、電話回線等を接続するための有線通信用コンセント、１００Ｖ、２００Ｖ等の電源を供給するための電源用コンセント、電源の供給を制御するための電源用スイッチ、一定以上の電力を使用した場合に電流を遮断するための電源用ブレーカー、通電中であるかどうかを表示するための通電表示灯、現在の時刻、制御機器の作動状況等を表示するための情報表示装置等を設置することができる。
前記電力線用ケーブル５１の末端を配電盤７０に接続した後、前記配電盤７０を支持枠体７１に設置する。
【０１４２】
次に前記支持枠体７１を、前記アウトレットボックス１が設置された側とは反対側の壁４０の貫通孔４３外部に設置した。
続いて連結部材６２を前記壁４０の貫通孔４３に挿通させ、前記アウトレットボックス１の前記鍔板６と前記支持枠体７１とを螺子により着脱自在に固定した。
前記支持枠材７１および前記連結部材６２は金属製であり、前記アウトレットボックス１の場合と同様、実施例１に係るアウトレットボックスの防火措置構造１００が火災等の熱にさらされた場合でも一定形状を維持することができる。
【０１４３】
図１１に示されるように、前記連結部材６２が、前記壁４０に形成された貫通孔４３の内部に設置された前記熱膨張性耐火シート２０を支持している。
前記連結部材６２が前記壁４０に形成された貫通孔４３の内部に設置された前記熱膨張性耐火シート２０を支持することにより、前記熱膨張性耐火シート２０が前記壁４０に形成された貫通孔４３の内部で垂れ下がることを防止することができ、設計通りの耐火性能を発揮することができる。
【０１４４】
前記連結部材６２の形状は、前記鍔板６と前記支持枠体７１とを着脱自在に固定することができるものであれば特に限定はなく、前記アウトレットボックス１の形状等に合致するものを適宜選択して使用することができる。
【０１４５】
次に化粧板７２を前記配電盤７０および前記支持枠体７１を前記壁４０の外部から覆う様に設置する。前記化粧板７２を螺子等の固定手段により前記支持枠体７１に固定することができる。
前記化粧板７２には開口部が設けられていて、前記壁４０の外部から前記化粧板７２の開口部を通じて、前記配電盤の有線通信用コンセント、電源用コンセント、電源用スイッチ、電源用ブレーカー等を操作することができ、前記配電盤の通電表示灯、情報表示装置等を視認することができる。
【０１４６】
上記の工程により、実施例１に係るアウトレットボックスの防火措置構造１００が得られる。
実施例１に係るアウトレットボックスの防火措置構造１００が火災等の熱にさらされると、前記熱膨張性耐火シート２０により生成した膨張残渣が前記壁４０の貫通孔４３の内部を閉塞する。
この様に、前記熱膨張性耐火シート２０により生成した膨張残渣により、前記壁４０の貫通孔４３を通じて火災等の炎、煙等が拡散することを防止することができる。
また実施例１に係るアウトレットボックスの防火措置構造１００は耐熱パテ等のシール剤を使用する必要がなく、簡単に施工することができる。
【実施例２】
【０１４７】
図１２は、実施例２に係るアウトレットボックス内部を観察した状態を説明するための模式図である。
実施例２に係るアウトレットボックスの防火措置構造１１０は、実施例１に係るアウトレットボックスの防火措置構造１００の変形例である。
なお実施例１における図１０の場合と同様に、説明の便宜上図１２では、前記壁４０、前記貫通孔４３、前記鍔板の連結部材受部１５、前記熱膨張性耐火シート２０のみが記載されている。
【０１４８】
実施例２に係るアウトレットボックスの防火措置構造１１０は、実施例１に係るアウトレットボックスの防火措置構造１００の場合と比較して、一つの前記熱膨張性耐火シート２０を筒状に曲げて前記壁４０に設けられた貫通孔４３に挿入されている点が異なる。
それ以外は実施例１の場合と同様である。
実施例２の場合は、一つの前記熱膨張性耐火シート２０の端部２１同士が突き合わされて挿入されているが、前記熱膨張性耐火シート２０はＣ字状に隙間を有するように挿入することもできるし、前記熱膨張性耐火シート２０の端部を重ねて挿入することもできる。
また前記熱膨張性耐火シート２０の端部同士を前記壁４０の垂直方向に互いにずらせて前記熱膨張性耐火シート２０をらせん状に配置することもできる。
前記熱膨張性耐火シート２０，２０の端部同士は、火災等の熱により生じた前記熱膨張性耐火シート２０の膨張残渣により前記壁４０に形成された貫通孔４３の内部が均一に閉塞されるように、前記熱膨張性耐火シート２０，２０の端部同士に隙間がないことが好ましく、互いに突き合わされていいることがより好ましく、互いに重ね合わされていればさらに好ましい。
【符号の説明】
【０１４９】
１  アウトレットボックス
１ａ  アウトレットボックス本体
２  上側面板
３  横側面板
４  下側面板
５  背面板
６，６ａ，６ｂ，６ｃ  鍔板
７  螺子
８  挿通孔
９  不燃材
１０  アウトレットボックス本体の開口部
１１  端面
１２、１３、１６  螺子孔
１４  アウトレットボックスの開口部
１５  連結部材受部
２０、２０ａ、２０ｂ、２０ｃ、２０ｄ、２０ｅ  熱膨張性耐火シート
２１  熱膨張性耐火シートの端部
２２  隙間
２３  重なり部
２４  切り込み
３０  延焼防止部
４０、４１  壁
４１ａ  強化石膏ボード
４２  貫通孔の内周
４３  貫通孔
４４  隙間
５０  電線ケーブル類
５１  電力線用ケーブル
５２  可撓電線管
６０  筒状固定具
６１  筒状固定受具
６２  連結部材
７０  配電盤
７１  支持枠体
７２  化粧板
７３  保持枠
７４  配線端末
８０  耐熱パテ
９０  壁内部の空間
１００、１１０  アウトレットボックスの防火措置構造
【図１】
2014090560.tif 000004
【図２】
2014090560.tif 000005
【図３】
2014090560.tif 000006
【図４】
2014090560.tif 000007
【図５】
2014090560.tif 000008
【図６】
2014090560.tif 000009
【図７】
2014090560.tif 000010
【図８】
2014090560.tif 000011
【図９】
2014090560.tif 000012
【図１０】
2014090560.tif 000013
【図１１】
2014090560.tif 000014
【図１２】
2014090560.tif 000015
【図１３】
2014090560.tif 000016
【図１４】
2014090560.tif 000017